(57)【要約】      （修正有）【課題】ビタミンＥを含む化粧品成分を徐放可能な布を用いた、化粧品成分を十分に活用できる袋を提供する。【解決手段】ビタミンＥを徐放可能な布により構成されていることを特徴とする袋であり、袋を用いて石鹸などを泡立て、泡を用いて身体を洗浄することで、日常的にビタミンＥを身体の所望の箇所に付着させることができる。その結果、所望の箇所にビタミンＥのもつ優れた効果を享受させることが可能となる。【選択図】図１
0003235315.tif 000002
【実用新案登録請求の範囲】
【請求項１】
ビタミンEを徐放する布により構成されていることを特徴とする袋。
【請求項２】
請求項１に記載の袋であって、その内部に石鹸が収納された袋。
【考案の詳細な説明】
【技術分野】
【０００１】
本考案は、袋に係り、特に石鹸等を収納して使用する石鹸泡立て袋に関わる。
【背景技術】
【０００２】
イソシアネート系架橋剤とグリオキサール系架橋剤の配合を調製した処理液を用いることでシクロデキストリンを合成繊維表面に堅固に固定する技術が知られている。  
【０００３】
シクロデキストリンは、デンプン類に酵素を作用させて得られる環状オリゴ糖であり、環状構造の内部は疎水性、外部は親水性を示す。その最大の特徴は、内部の空洞に有機分子を包接（取り込む）することができる点にある。包摂することによって、熱や紫外線に不安定で分解されやすい物質を安定化させたり、香料等を徐放することや、臭いや味をマスキングするといった効果を得ることができる。
【０００４】
ところで、ビタミンE（α―トコフェロール）は、優れた抗酸化能、メラニンの排出生成抑制、血行促進、保湿等の優れた効果があるとされている。ビタミンEは紫外線や熱に対して不安定であり、手軽に取り扱うことができないが、シクロデキストリンに取り込まれることで耐光性、耐熱性を大きく向上する性質がある。
【０００５】
ところで、合成繊維織物には、様々な機能が求められており、近年ではスキンケアや紫外線カットなども要求される。そこで、シクロデキストリンを利用し、繊維表面にシクロデキストリンを固定化させ、当該シクロデキストリンにビタミンEを固定した合成繊維織物が開発されている。
【０００６】
他にも、化粧活性成分組成物、 例えば、月見草油、セイヨウオトギリ草油、ホホバ油、アボガド油、ビタミンA、レチノール、ビタミンD若しくはビタミンEなどの脂溶性ビタミン及びプロビタミンを、意図的に放出可能な布地が記載されている。 
【先行技術文献】
【非特許文献】
【０００７】
山本孝 (石川県工試) ,  木水貢 (石川県工試) ,  神谷淳 (石川県工試) ,  金法順正 (小松精練) ,  田口栄子 (小松精練) ,  吉本克彦 (根上工業) ,  北伸也 (根上工業) ,  寺尾啓二 (シクロケム) ,  四日洋和 (シクロケム) ,  久田研次 (福井大) ,  廣垣和正 (JST), 包接能化合物固定化技術の開発とその加工プロセスの実用化-シクロデキストリン固定化技術によるスキンケア加工製品の開発-, 石川県工業試験場研究報告  ,２００８年１１月１７日
【特許文献】
【０００８】
特許第６７０４９１５号公報
【考案の概要】
【考案が解決しようとする課題】
【０００９】
化粧品成分、特にビタミンEを固定化した合成繊維織物からは、強力な抗酸化能を有していることから、スキンケア製品としての利用を見込むことができる。この点に着目し、上記非特許文献１に記載のとおりドレスやパンツスーツ、ジャケット、ブラウスなどの製品が作成されてきた。だが、これらの製品はいずれも身につけるものであることから、当該身につけた箇所についてはビタミンEの効能を得ることができるものの、その箇所に限定されてしまう。
【課題を解決するための手段】
【００１０】
そこで本考案では、
化粧品成分を徐放可能な布により構成されていることを特徴とする袋を提供する。
【考案の効果】
【００１１】
本考案の袋を用いると、化粧品成分が石鹸から放出された泡と混じり、当該泡を手や顔を始めとした肌に触れさせることで化粧品成分がもつ優れた効能、例えば抗酸化能、メラニンの排出生成抑制、血行促進、保湿等の効果を享受することができる。
【図面の簡単な説明】
【００１２】
【図１】本考案の石鹸袋を示した図
【考案を実施するための形態】
【００１３】
図１は、本考案の袋１を示した図であり、以下、袋１の詳細や製造方法について説明する。
【００１４】
袋１は、合成繊維や天然繊維により形成される。合成繊維としては、ポリエステルやナイロン、アラミド、ビニロン、ビニリデン、アクリル、ポリエチレン、ポリプロピレン、ポリウレタン、ポリクラール、ポリ乳酸などが上げられる。天然繊維としては、綿、麻、生糸や絹糸、羊毛、カシミヤなどが上げられる。これらの繊維を用いて糸とし、当該糸を経糸と横糸として用いて織ったり、編むことで織布として用いる。あるいは、これらの繊維を用いて作成した不織布を用いてもよい。
【００１５】
次に、織布や不織布に、化粧品成分を内部に取り込んだシクロデキストリンを固定化する。化粧活性成分としては、月見草油、セイヨウオトギリ草油、ホホバ油、アボガド油、ビタミンA、レチノール、ビタミンD若しくはビタミンEなどの脂溶性ビタミン及びプロビタミンなどが挙げられるが、特にビタミンEが好適である。抗酸化能、メラニンの排出生成抑制、血行促進、保湿等、肌にとって効果が高いため、本考案の効果を最大限発揮できるためである。
【００１６】
シクロデキストリンを固定化する方法は用いる繊維に応じて異なるが、例えば綿などにはモノクロロトリアジノ-β-シクロデキストリンを用いて固定化すればよいし、ポリエステルであれば、セリシンをイソシアネートで架橋し、これをコーティング剤としてポリエステルに固定すればよい。その際に、グリオキザール系、メラミン系、イミン系、オキサゾリン系の架橋剤をイソシアネート系架橋剤に配合しても用いても良い。こうして織布や不織布を化粧品成分固定化布とすることができる。詳細については、上記非特許文献を参照されたい。
【００１７】
他の方法として、セルロースを溶剤を用いて溶解した後に、機能性添加剤として、化粧活性成分組成物、 例えば、月見草油、セイヨウオトギリ草油、ホホバ油、アボガド油、ビタミンA、レチノール、ビタミンD若しくはビタミンEなどの脂溶性ビタミン及びプロビタミンなどを添加したものを紡糸した後に、溶剤を回収、後処理し繊維加工することでも、化粧品成分固定化布を得ることができる。こちらの手法については上述特許文献を参照されたい。
【００１８】
次に、化粧品成分固定化布を、袋状に加工することで本考案の袋１が得られる。袋１は、要するに内部に石鹸を収納することができる袋であればよい。したがって、その形状は自由度があり、図に示すとおり矩形を基本とした形状であってよいし、円形や三角形を基本とした形状であってもよい。
【００１９】
袋１は、水に濡らした状態で摩擦を加えると、内部に収納された石鹸の成分が袋１の表面に泡状となって染み出す。袋１は、摩擦を与えると平行して化粧品成分固定化布に取り込まれた化粧品成分も徐々に放出されることになる。その結果、染み出す泡は化粧品成分を大量に含むものとなる。
【００２０】
そのため、この泡を顔や身体に接触させると、石鹸のもつ界面活性剤としての効果に加えて、化粧品成分の効果を肌に及ぼすことが可能となる。化粧品成分としてビタミンEを選択した場合、ビタミンEのもつ優れた抗酸化能、メラニンの排出生成抑制、血行促進、保湿などの肌優れたスキンケア効果を得ることができる。この効果は、泡を付着させることができる全ての部位に及ぼすことができる。
【００２１】
また、本考案の袋１の内部にスポンジや木片、石などを収納した状態で、袋１の外部に液体石鹸や泡立てたソープ、界面活性剤、洗剤などをふりかけた状態で身体にこすりつけても良い。その場合、身体との摩擦により、袋１から化粧品成分が徐々に放出され、上述の効果を得ることができる。
【符号の説明】
【００２２】
１  本考案に係る袋
【図１】
0003235315.tif 000003